(57)【要約】【課題】  ハイビジョン放送のメインチャンネルから標準放送の複数のサブチャンネルに切り替わったときには、視聴者を検出して、その視聴者が希望するサブチャンネルを自動的に選択できるようにする。【解決手段】  リモコン２００は、受信する複数のメインチャンネル又はサブチャンネルから１つのメインチャンネル又は１つのサブチャンネルを選択するためのチャンネル選択信号を操作に応じて発生する。本体装置１００は、リモコン２００のの操作に応じて現在視聴している視聴者を検出し、リモコン２００によって発生されたチャンネル選択信号によるメインチャンネルが、視聴対象者を特定する視聴者特定情報をそれぞれ含む複数のサブチャンネルに切り替えられた場合には、検出した視聴者に合致する視聴者特定情報を含むサブチャンネルを選択する。【選択図】      図１
2006186442.tif 000002
【特許請求の範囲】
【請求項１】
受信する複数のメインチャンネル又はサブチャンネルから１つのメインチャンネル又は１つのサブチャンネルを選択するためのチャンネル選択信号を操作に応じて発生する操作手段と、
前記操作手段の操作に応じて現在視聴している視聴者を検出する視聴者検出手段と、
前記操作手段によって発生されたチャンネル選択信号によるメインチャンネルが視聴対象者を特定する視聴者特定情報をそれぞれ含む複数のサブチャンネルに切り替えられた場合には、前記視聴者検出手段によって検出された視聴者に合致する視聴者特定情報を含むサブチャンネルを選択する自動選択手段と、
を備えたテレビ受信装置。
【請求項２】
前記視聴者検出手段は、前記操作手段によって発生された番号に基づいて現在視聴している視聴者を検出することを特徴とする請求項１に記載のテレビ受信装置。
【請求項３】
前記操作手段は、特定の操作子に接触された指の指紋の画像および入力された番号を視聴者登録情報として所定の記憶手段にあらかじめ登録し、テレビ放送の受信開始の操作の際に前記特定の操作子に接触された指の指紋の画像と前記記憶手段に登録されている画像とを照合して現在視聴している視聴者の番号を発生することを特徴とする請求項２に記載のテレビ受信装置。
【請求項４】
前記視聴者検出手段は、テレビ放送の受信開始の際に視聴者の容姿を撮像する撮像手段によって撮像された画像に基づいて現在視聴している視聴者を検出することを特徴とする請求項１に記載のテレビ受信装置。
【請求項５】
受信する複数のメインチャンネル又はサブチャンネルから１つのメインチャンネル又は１つのサブチャンネルを選択するためのチャンネル選択信号を操作に応じて発生する第１のステップと、
現在視聴している視聴者を検出する第２のステップと、
前記第１のステップによって発生されたチャンネル選択信号によるメインチャンネルが視聴対象者を特定する視聴者特定情報をそれぞれ含む複数のサブチャンネルに切り替えられた場合には、前記第２のステップによって検出された視聴者に合致する視聴者特定情報を含むサブチャンネルを選択する第３のステップと、
を実行するテレビ受信装置の制御プログラム。
【請求項６】
前記第２のステップは、前記第１のステップによって発生された番号に基づいて現在視聴している視聴者を検出することを特徴とする請求項５に記載のテレビ受信装置の制御プログラム。
【請求項７】
前記第１のステップは、特定の操作子に接触された指の指紋の画像および入力された番号を視聴者登録情報として所定の記憶手段にあらかじめ登録し、テレビ放送の受信開始の操作の際に前記特定の操作子に接触された指の指紋の画像と前記記憶手段に登録されている画像とを照合して現在視聴している視聴者の番号を発生することを特徴とする請求項６に記載のテレビ受信装置の制御プログラム。
【請求項８】
前記第２のステップは、テレビ放送の受信開始の際に視聴者の容姿を撮像する撮像手段によって得られた画像に基づいて現在視聴している視聴者を検出することを特徴とする請求項５に記載のテレビ受信装置の制御プログラム。
【請求項９】
メインチャンネルによるハイビジョン放送を配信中において、複数のサブチャンネルの標準放送に切り替える場合には、各サブチャンネルの番組特定情報に視聴対象者を特定する視聴者特定情報を付加して配信する放送配信方法。
【請求項１０】
前記複数のサブチャンネルの標準放送は、メインチャンネルによるハイビジョン放送を配信中に随時挿入される広告放送であることを特徴とする請求項９に記載の放送配信方法。
【発明の詳細な説明】
【技術分野】
【０００１】
本発明は、地上波ディジタル放送を受信するテレビ受信装置、テレビ受信装置の制御プログラム、および放送配信方法に関するものである。
【背景技術】
【０００２】
２００３年１２月から一部の地域に放送が開始された地上波ディジタル放送では、ＯＦＤＭ（直交周波数分割多重）方式によって、複数種類の情報をＭＰＥＧ−２システムのトランスポート・ストリームで多重化して、６ＭＨｚの帯域を１３セグメントに分割して伝送する。さらに、１３セグメントの中の３セグメントによって複数の標準放送ができるように計画されている。したがって、ハイビジョン放送によるメインチャンネルのプロ野球やサッカーなどのスポーツ中継が延長になったときは、メインチャンネルから複数のサブチャンネルの標準放送に切り替えて、１つのサブチャンネルによってスポーツ中継の延長放送を行って、他のサブチャンネルによって当初予定していた番組を放送するサービスが予定されている。
このようなサービスを考慮して、メインチャンネルから複数のサブチャンネルに切り替わったときには、視聴者が必要とする１つのサブチャンネルを選択するための提案がなされている。
【０００３】
ある提案によるテレビ装置およびテレビシステムにおいては、テレビと複数のテレビ・コンパニオン装置とが赤外線や光ファイバなどの通信リンクで通信する。テレビは、オーディオ、ビデオ、データ、グラフィック、アニメーションなどの複数の異なるタイプの情報を受信して、その情報ストリームを多重分離し、選択し、複数のテレビ・コンパニオン装置に配信する。この配信において、テレビは、メッセージの受信側となるテレビ・コンパニオン装置を識別するアドレスをメッセージに埋め込む。（特許文献１参照）
また、別の提案による多重化システム、受信機、放送装置においては、ＤＡＢ（ディジタル・オーディオ放送）信号などでは、これに含まれる送信機識別情報を受信機側で抽出し、アンケートやクイズに対する応答データを電話網を介して出力する際、この送信機識別信号を一緒に転送する。応答データを解析するとき、この送信機識別情報を用い、地域特定して解析を行う。また、地域のイベント情報などを視聴者が要求した場合には、放送装置は、視聴者の受信機から転送された送信機識別情報に対応した送信機から、必要なデータを多重化した放送信号を送信する。（特許文献２）
【特許文献１】特開２０００−３２３６３号公報
【特許文献２】特開２００１−１３６０８７号公報
【発明の開示】
【発明が解決しようとする課題】
【０００４】
しかしながら、上記特許文献１および特許文献２においては、ハイビジョン放送のメインチャンネルから標準放送の複数のサブチャンネルに切り替わった場合には、視聴者の操作によって１つのサブチャンネルを選択することになる。このため、例えば、１時間の間に何回もメインチャンネルから複数のサブチャンネルに切り替わるような状況においては、そのたびにサブチャンネルを選択する操作が必要になる。
本発明は、このような従来の課題を解決するためのものであり、ハイビジョン放送のメインチャンネルから標準放送の複数のサブチャンネルに切り替わったときに、視聴者を検出して、視聴者が希望するサブチャンネルを自動的に選択することを目的とする。
【課題を解決するための手段】
【０００５】
請求項１に記載のテレビ受信装置は、受信する複数のメインチャンネル又はサブチャンネルから１つのメインチャンネル又は１つのサブチャンネルを選択するためのチャンネル選択信号を操作に応じて発生する操作手段（実施形態においては、図１のリモコン２００に相当する）と、操作手段の操作に応じて現在視聴している視聴者を検出する視聴者検出手段（実施形態においては、図３のＣＰＵ８に相当する）と、操作手段によって発生されたチャンネル選択信号によるメインチャンネル（実施形態においては、図２のチャンネル５のハイビジョン放送に相当する）が視聴対象者を特定する視聴者特定情報（実施形態においては、図２のＶＳＩの値に相当する）をそれぞれ含む複数のサブチャンネル（実施形態においては、図２のチャンネル５−１、５−２、５−３に相当する）に切り替えられた場合には、視聴者検出手段によって検出された視聴者に合致する視聴者特定情報を含むサブチャンネルを選択する自動選択手段（実施形態においては、図３のＣＰＵ８に相当する）と、を備えた構成になっている。
【０００６】
請求項１のテレビ受信装置において、請求項２に記載したように、視聴者検出手段は、操作手段によって発生された番号（実施形態においては、図９における１ないし１２のいずれかの番号に相当する）に基づいて現在視聴している視聴者を検出するような構成にしてもよい。
【０００７】
請求項２のテレビ受信装置において、請求項３に記載したように、操作手段は、特定の操作子（実施形態においては、図４および図５の電源パッド２０１に相当する）に接触された指の指紋の画像および入力された番号を視聴者登録情報として所定の記憶手段（実施形態においては、図６のＩＤメモリ２４に相当する）にあらかじめ登録し、テレビ放送の受信開始の操作（実施形態においては、本体装置１００に対する電源オン操作に相当する）の際に特定の操作子に接触された指の指紋の画像と記憶手段に登録されている画像とを照合して現在視聴している視聴者の番号を発生するような構成にしてもよい。
【０００８】
請求項１のテレビ受信装置において、請求項４に記載したように、視聴者検出手段は、テレビ放送の受信開始の際に視聴者の容姿を撮像する撮像手段（実施形態においては、図３のカメラ１３に相当する）によって撮像された画像に基づいて現在視聴している視聴者を検出するような構成にしてもよい。
【０００９】
請求項５に記載のテレビ受信装置の制御プログラムは、受信する複数のメインチャンネル又はサブチャンネルから１つのメインチャンネル又は１つのサブチャンネルを選択するためのチャンネル選択信号を操作に応じて発生する第１のステップと、現在視聴している視聴者を検出する第２のステップと、第１のステップによって発生されたチャンネル選択信号によるメインチャンネル（実施形態においては、図２のチャンネル５のハイビジョン放送に相当する）が視聴対象者を特定する視聴者特定情報（実施形態においては、図２のＶＳＩの値に相当する）をそれぞれ含む複数のサブチャンネル（実施形態においては、図２のチャンネル５−１、５−２、５−３に相当する）に切り替えられた場合には、第２のステップによって検出された視聴者に合致する視聴者特定情報を含むサブチャンネルを選択する第３のステップと、を実行する。
【００１０】
請求項５の制御プログラムにおいて、請求項６に記載したように、第２のステップは、第１のステップによって発生された番号（実施形態においては、図９における１ないし１２のいずれかの番号に相当する）に基づいて現在視聴している視聴者を検出するような構成にしてもよい。
【００１１】
請求項６の制御プログラムにおいて、請求項７に記載したように、第１のステップは、特定の操作子（実施形態においては、図４および図５の電源パッド２０１に相当する）に接触された指の指紋の画像および入力された番号を視聴者登録情報として所定の記憶手段（実施形態においては、図６のＩＤメモリ２４に相当する）にあらかじめ登録し、テレビ放送の受信開始の操作（実施形態においては、本体装置１００に対する電源オン操作に相当する）の際に特定の操作子に接触された指の指紋の画像と記憶手段に登録されている画像とを照合して現在視聴している視聴者の番号を発生するような構成にしてもよい。
【００１２】
請求項５の制御プログラムにおいて、請求項８に記載したように、第２のステップは、テレビ放送の受信開始の際に視聴者の容姿を撮像する撮像手段（実施形態においては、図３のカメラ１３に相当する）によって得られた画像に基づいて現在視聴している視聴者を検出するような構成にしてもよい。
【００１３】
請求項９に記載の放送配信方法は、メインチャンネルによるハイビジョン放送を配信中において、複数のサブチャンネルの標準放送に切り替える場合には、各サブチャンネルの番組特定情報に視聴対象者を特定する視聴者特定情報を付加して配信するような構成になっている。
【００１４】
請求項９の放送配信方法において、請求項１０に記載したように、複数のサブチャンネルの標準放送は、メインチャンネルによるハイビジョン放送を配信中に随時挿入される広告放送であるように構成してもよい。
【発明の効果】
【００１５】
本発明によれば、ハイビジョン放送のメインチャンネルから標準放送の複数のサブチャンネルに切り替わったときには、視聴者を検出して、その視聴者がが希望するサブチャンネルを自動的に選択できるという効果が得られる。
【発明を実施するための最良の形態】
【００１６】
以下、本発明によるテレビ受信装置の実施形態について、図１ないし図１３を参照して説明する。
図１は、地上波ディジタル放送を受信するテレビ受信装置を適用したシステムの構成を示している。テレビ受信装置は、本体装置１００およびリモコン２００で構成されている。本体装置１００は、アンテナ１から受信する複数のチャンネルの放送電波を受信して、リモコン２００によるチャンネル選択操作によって発光される赤外線ＩＲを受光して、１つのチャンネルの放送信号を選択して放映する。また、本体装置１００は、インターネットなどのネットワーク３００に接続されている。ネットワーク３００には、本体装置１００において選択されたチャンネルの情報を集計するサーバ４００が接続され、サーバ４００と放送局５００とが専用線によって接続されている。放送局５００は、サーバ４００で集計された番組の視聴率を分析して、スポンサとの間で配信する広告放送について交渉を行う。各スポンサは、視聴率の高い番組には高額の広告料を支払ってでも広告放送を依頼することになる。
【００１７】
図２は、チャンネル５の放送局におけるハイビジョン放送の例を時間の流れに対応して示したものである。この図に示すように、午後３時から４時までのハイビジョン放送の放映中に、ある薬品会社のスポンサが提供する３系統のＣＭ放送がサブチャンネルの標準放送で３分間放映される。各サブチャンネルには、対象の視聴者を特定する視聴者特定情報を表わすＶＳＩがＰＳＩ（番組特定情報）に付加されている。すなわち、大人の男性を対象視聴者とする男性化粧品のＣＭ放送のＶＳＩは２、大人の女性を対象視聴者とする女性化粧品のＣＭ放送のＶＳＩは１、視聴者を限定しない風邪薬のＣＭ放送のＶＳＩは５がそれぞれ付加されている。なお、実際には、３時から４時までのハイビジョン放送の放映中に、数分のＣＭ放送が複数回放映され、通常、各回の放映には複数のスポンサによる複数系統のＣＭ放送がサブチャンネルで放映される。また、放送局自体の提供による新番組の宣伝放送が放映されるが、その場合にも、放送時間の効率化を図るために、複数のサブチャンネルによって異なる番組の宣伝を行い、各番組の視聴者を想定したＶＳＩが付加される。
【００１８】
図３は、図１における本体装置１００の内部構成を示すブロック図である。本体装置１００は、信号処理系と制御系とがシステムバスによって接続された構成になっている。すなわち、図１に示すように、信号処理系は、アンテナ１、チューナ２、復調処理部３、音声・映像分離部４、音声復号部５、および映像復号部６で構成され、それぞれシステムバス７に接続されている。制御系は、ＣＰＵ８、ＲＯＭ９、ＲＡＭ１０、操作部１１、赤外線インタフェース（Ｉ／Ｆ）１２、およびカメラ１３で構成され、それぞれシステムバス７に接続されている。
【００１９】
信号処理系において、チューナ２はアンテナ１を介して受信した地上波ディジタル放送の中から１つのチャンネルの地上波ディジタル放送を選択し、搬送波を除去して圧縮符号化された音声信号、映像信号、文字情報などのトランスポート・ストリーム（ＴＳ）のディジタル信号を復調処理部３に出力する。復調処理部３は、チューナ２から出力されたディジタル信号を分岐して択一的に選択するゲートＧ１およびゲートＧ２、ゲートＧ２によって選択されたディジタル信号を周波数に応じて３つのディジタル信号に分離するバンドパスフィルタであるＢＰＦ２ａ、ＢＰＦ３ｂ、およびＢＰＦ３ｃ、ゲートＧ１から出力されるディジタル信号を復調する復調部３ｄ、ＢＰＦ２ａ、ＢＰＦ３ｂ、およびＢＰＦ３ｃからそれぞれ出力されるディジタル信号を復調する復調部３ｅで構成されている。復調部３ｄおよび復調部３ｅは、復調したディジタル信号を音声・映像分離部４に出力する。音声・映像分離部４は、復調部３ｄおよび復調部３ｅのいずれか一方から出力されたディジタル信号を音声信号と映像信号とに分離して、それぞれ音声復号部５および映像復号部６に出力する。音声復号部５は、音声・映像分離部４から出力された音声信号を復号化して、スピーカ（図示せず）に音声を出力する。映像復号部６は、音声・映像分離部４から出力された映像信号を復号化して、ディスプレイ（図示せず）に映像を出力する。
【００２０】
制御系において、ＣＰＵ８は、システムバス７を介して、信号処理系の各部および制御系の各部との間でデータおよびコマンドの授受を行って、この本体装置１００全体を制御する。ＲＯＭ９は、ＣＰＵ８によって実行される制御プログラム、および初期データをあらかじめ記憶している。ＲＡＭ１０は、ＣＰＵ８によって処理される各種のデータを一時的に記憶するエリアを有するとともに、制御プログラムの実行に必要な各種のレジスタ、フラグなどのエリアを有する。操作部１１は、リモコン２００とほぼ同じスイッチ群で構成され、テレビスイッチのオン／オフ、チャンネル変更などの指令を操作に応じてＣＰＵ８に入力する。赤外線インタフェース１２は、リモコン２００から発光された赤外線ＩＲを受光して電気信号に変換し、テレビスイッチのオン／オフ、チャンネル変更などの変調信号を復調して、その指令をＣＰＵ８に入力する。カメラ１３は、図示しないディスプレイの近傍に設けられたディジタルカメラで構成され、視聴者の画像を撮像する。なお、この図には示していないが、カメラ１３で撮像された画像を保存するハードディスクやメモリカードなどの不揮発性メモリからなるデータベースが本体装置１００の内部に設けられている。
【００２１】
図４は、リモコン２００の構成を示す図である。図４（１）はリモコン２００の操作パッドの配置を示している。操作パッドは、電源パッド２０１のほかに、チャンネル番号のパッド、チャンネルのアップ／ダウン用のパッド、音量調整用のパッド、その他必要なパッドで構成されている。また、電源パッド２０１の近傍には可視光を発光するＬＥＤ（発光ダイオード）２０２が設けられている。ＬＥＤ２０２の機能については後述する。図４（２）に示すように、視聴者は最初に電源パッド２０１を押下することにより、本体装置１００の電源をオンにして、チャンネル選択や音量調整などの必要なスイッチ操作を行う。また、本体装置１００の電源をオフにする場合にも、電源パッド２０１を押下する。
【００２２】
図５は、リモコン２００内部の一部の構成を示している。図５において、電源パッド２０１は、赤外線を透過し可視光を遮光する部材、例えば、黒色のアクリルで構成されているとともに、その上面を含む一部が凹レンズ２０１ａで構成され、約４５度に傾斜した側面の内側が赤外線を反射する鏡面になっている。
図５（１）は、本体装置１００のディスプレイにテレビ放送の画像が表示されている場合において、チャンネル選択や音量調整などの必要なスイッチ操作を行う場合の状態を示している。ＬＥＤ２０３は、チャンネル選択や音量調整などの指令に応じてパルス変調された赤外線ＩＲを発光して、ハーフミラー２０４を通過させる。この状態においては、電源パッド２０１は押下されていないので、赤外線ＩＲは電源パッド２０１の下部と、電源パッド２０１の下側に設けられているスイッチ２０５の先端との間の光路を通って、本体装置１００の赤外線Ｉ／Ｆに受光される。
【００２３】
図５（２）は、本体装置１００の電源をオンにするために、視聴者が最初に電源パッド２０１を押下して、スイッチ２０５をオンにした状態を示している。この状態においては、ＬＥＤ２０３から発光される赤外線ＩＲの光路が電源パッド２０１によって遮られる。この場合には、ＬＥＤ２０３からスイッチ２０５のオンによって無変調の赤外線ＩＲが発光される。その赤外線ＩＲは、電源パッド２０１の鏡面２０１ｂによって光路が上向きに直角に変更され、凹レンズ２０１ａによって発散されて、電源パッド２０１の上面に密着している指に照射されて反射される。反射された赤外線は、凹レンズ２０１ａによって収束されて、鏡面２０１ｂによって光路が横向きに直角に変更され、電源パッド２０１から出射してハーフミラー２０４によって光路が下向きに直角に変更され、ＣＣＤ２０６に入射される。ＣＣＤ２０６は、入射された赤外線によって結像した光をスイッチ２０５のオンに応じて撮像する。したがって、ＣＣＤ２０６によって指の指紋の画像が撮像される。
【００２４】
図６は、リモコン２００の内部構成を示すブロック図である。ＣＰＵ２１は、内部に制御プログラムを格納したＲＯＭ、レジスタ、フラグなどを有するワークエリアとしてのＲＡＭなどを有するワンチップのマイコンで構成されている。また、ＣＰＵ２１は、システムバス２２を介して、赤外線ＩＲを発光する赤外線ＬＥＤ２０３、指紋画像を撮像するＣＣＤ２０６、電源パッド２０１やチャンネルスイッチなどの操作部２３、フラッシュＲＯＭなどの不揮発性のＩＤメモリ２４、電源パッド２０１の近傍に設けられた可視光を発光するＬＥＤ２０２に接続されている。なお、操作部２３には、図５に示したスイッチ２０５も含まれている。
【００２５】
次に、このリモコン２００の動作について、図７および図８に示すＣＰＵ２１のフローチャートに基づいて説明する。図７はメインルーチンのフローチャートであり、ＲＡＭをクリアするなどの所定のイニシャライズ（ステップＳＲ１）の後、電源パッド２０１が押下されてスイッチ２０５がオンにされたか否かを判別する（ステップＳＲ２）。スイッチ２０５がオンにされたときは、オンフラグＯＮＦが０であるか否かを判別する（ステップＳＲ３）。ＯＮＦが０である場合には、ＯＮＦを１にセットして（ステップＳＲ４）、指の指紋を撮像する処理を行う（ステップＳＲ５）。すなわち、スイッチ２０５がオンになったときは、図５（２）に示したように、赤外線ＬＥＤ２０３から無変調の赤外線ＩＲを発光して、ＣＣＤ２０６によって指の指紋を撮像する。次に、撮像した指紋データとＩＤメモリに保存されている指紋データとを照合し（ステップＳＲ６）、撮像した指紋データが未登録であるか否かを判別する（ステップＳＲ７）。未登録である場合には登録処理を行う（ステップＳＲ８）。
【００２６】
図８は、登録処理のフローチャートである。まず、操作部のＬＥＤ２０２を点滅して（ステップＳＲ２１）、ユーザに番号入力を促し、チャンネルスイッチによる番号が入力されたか否かを判別する（ステップＳＲ２２）。図９は、ＩＤメモリ２４における登録エリアであり、番号によってユーザを特定する。次に、一定時間が経過したか否かを判別し（ステップＳＲ２３）、一定時間が経過しても番号入力がない場合にはメインルーチンに戻るが、番号入力があったときは、ＲＡＭに一時的にストアした指紋データと入力番号とをリンクしてＩＤメモリ２４に登録する（ステップＳＲ２４）。また、登録エリアにおいて番号に対応するフラグＲＦを１にセットする（ステップＳＲ２５）。この後、ＬＥＤ２０２を点灯して図７のメインルーチンに戻る。
【００２７】
図７のステップＳＲ７において指紋データが未登録でない場合、又は、ステップＳＲ８で指紋データを登録した後は、本体装置１００の電源をオンにするための変調信号であるオンデータを作成する（ステップＳＲ９）。次に、スイッチ２０５がオフになったか否かを判別する（ステップＳＲ１０）。すなわち、図５（２）に示した押下された電源パッド２０１が解除されて、スイッチ２０５がオフになったか否かを判別する。スイッチ２０５がオフになったときは、電源パッド２０１によって遮られていた赤外線ＩＲの光路が開けるので、本体装置１００に対して赤外線ＩＲを発光する（ステップＳＲ１１）。この場合には、電源オンの指令および視聴者のＩＤである番号によって変調された赤外線ＩＲを発光する。
【００２８】
この後は、チャンネル変更がされたか否かを判別し（ステップＳＲ１２）、チャンネル変更がされたときは、そのチャンネル番号のデータを作成して（ステップＳＲ１３）、本体装置１００に対してチャンネル変更の赤外線ＩＲを発光する（ステップＳＲ１１）。チャンネル変更がされない場合には、音量変更がされたか否かを判別し（ステップＳＲ１４）、音量変更がされたときは、音量データを作成して（ステップＳＲ１５）、本体装置１００に対して音量変更の赤外線ＩＲを発光する（ステップＳＲ１１）。チャンネル変更も音量変更もされない場合には、他の処理を行う（ステップＳＲ１６）。そして、ステップＳＲ２においてスイッチ２０５のオンを判別する。
【００２９】
スイッチ２０２がオンされたときに、ステップＳＲ３においてＯＮＦが１である
場合には、本体装置１００に対する電源オフの指令であるので、ＯＮＦを０にリセットし（ステップＳＲ１７）、ＬＥＤ２０２を消灯し（ステップＳＲ１８）、オフデータを作成する（ステップＳＲ１９）。そして、本体装置１００に対して電源オフの赤外線ＩＲを発光する（ステップＳＲ１１）。
【００３０】
次に、図３に示した本体装置１００の動作について、図１０ないし図１３に示すＣＰＵ８のフローチャートに基づいて説明する。
図１０および図１１は、メインルーチンのフローチャートである。図１０において、所定のイニシャライズ（ステップＳＡ１）の後、リモコン２００から赤外線を受光したか否かを判別する（ステップＳＡ２）。赤外線を受光したときは、それが電源オンの指令であるか否かを判別する（ステップＳＡ３）。電源オンの指令である場合には、視聴者の番号であるＩＤを受信したか否かを判別する（ステップＳＡ４）。ＩＤを受信したときは、そのＩＤをＲＡＭ１０にストアして、フラグＩＤＦを１にセットする（ステップＳＡ５）。ＩＤＦをセットした後、又は、ＩＤを受信しない場合には、チューナ２その他の信号処理系をオンにする（ステップＳＡ６）。この後、オンフラグＯＮＦを１にセットし（ステップＳＡ７）、選択されているチャンネルの放送の受信を開始する（ステップＳＡ８）。そして、受信信号の中のトランスポート・ストリームを検出する（ステップＳＡ９）。
【００３１】
放送の受信中において、１３セグメントのハイビジョン放送から３セグメントの標準放送への切替がされたか、又は、３セグメントの標準放送から１３セグメントのハイビジョン放送への切替がされたかを判別する（ステップＳＡ１０）。放送切替がされたときは、その切替の結果、３セグメントの標準放送を受信したか、又は、１３セグメントのハイビジョン放送を受信したかを判別する（ステップＳＡ１１）。３セグメントの標準放送を受信したときは、図３の復調処理部３におけるゲートＧ１をオフ、ゲートＧ２をオンにして（ステップＳＡ１２）、３つのＢＰＦ３ａ、３ｂ、３ｃを介して、受信信号を復調部３ｅに供給する。一方、１３セグメントのハイビジョン放送を受信したときは、ゲートＧ１をオン、ゲートＧ２をオフにして（ステップＳＡ１３）、受信信号を復調部３ｄに供給する。
【００３２】
ステップＳＡ１３において、ゲートＧ１をオン、ゲートＧ２をオフにしてハイビジョン放送を復調した後、又は、ステップＳＡ１０において放送切替がない場合には、ステップＳＡ２において、リモコン２００から赤外線を受光したか否かを判別し、赤外線を受光したときは、それがチャンネル変更の指令であるか否かを判別する（ステップＳＡ１４）。チャンネル変更である場合には、チャンネル選択処理を行う（ステップＳＡ１５）。受光した赤外線の指令がチャンネル変更でない場合には、音量変更の指令であるか否かを判別する（ステップＳＡ１６）。音量変更である場合には、音量調整を行う（ステップＳＡ１７）。
【００３３】
受光した赤外線の指令がチャンネル変更および音量変更でない場合には、それが電源オフの指令であるか否かを判別する（ステップＳＡ１８）。電源オフの指令である場合には、ＯＮＦを０にリセットし（ステップＳＡ１９）、ＩＤをクリアし（ステップＳＡ２０）、ＩＤＦを０にリセットして（ステップＳＡ２１）、ステップＳＡ２において赤外線の受光を判別する。
ステップＳＡ１５においてチャンネル変更を行った後、ステップＳＡ１７において音量調整を行った後、又は、ステップＳＡ１８において、電源オフでない場合には、ステップＳＡ１０において放送切替の有無を判別する。
ステップＳＡ２において、赤外線を受光しない場合には、ＯＮＦが１であるか否かを判別する（ステップＳＡ２２）。ＯＮＦが１である場合には、カメラ処理を行って（ステップＳＡ２３）、ステップＳＡ１０において放送切替の有無を判別する。
【００３４】
ステップＳＡ１２において、ゲートＧ１をオフ、ゲートＧ２をオンにした後は、図１１のフローチャートにおいて、ＩＤＦが１であるか否かを判別する（ステップＳＡ２４）。ＩＤＦが１である場合には、トランスポート・ストリームからＰＳＩ（番組特定情報）を取得して（ステップＳＡ２５）、さらにＰＳＩの中からＶＳＩ（視聴者特定情報）を取得する（ステップＳＡ２６）。次に、リモコン２００から受信してＲＡＭ１０にストアしたＩＤを検索して（ステップＳＡ２７）、ＩＤの番号とＶＳＩの番号とが一致するか否かを判別する（ステップＳＡ２８）。ＩＤの番号とＶＳＩの番号とが一致したときは、ＶＳＩのサブチャンネルを選択する（ステップＳＡ２９）。
【００３５】
例えば、図２に示したチャンネル５の報道番組のハイビジョン放送が、チャンネル５−１の男性化粧品のコマーシャル放送、チャンネル５−２の女性化粧品のコマーシャル放送、およびチャンネル５−３の風邪薬のコマーシャル放送に切り替えられたときに、ＲＡＭ１０にストアされているＩＤが２である場合には、ＶＳＩが２のチャンネル５−１を自動的に選択して、男性化粧品のコマーシャル放送を放映する。あるいは、ＲＡＭ１０にストアされているＩＤが１である場合には、ＶＳＩが１のチャンネル５−２を自動的に選択して、女性化粧品のコマーシャル放送を放映する。
【００３６】
図１１のステップＳＡ２４においてＩＤＦが０である場合、すなわち、ＲＡＭ１０にＩＤがストアされていない場合、又はステップＳＡ２８においてＩＤの番号とＶＳＩの番号とが一致しない場合には、任意のサブチャンネルを選択する（ステップＳＡ３０）。
ステップＳＡ２９又はステップＳＡ３０においてサブチャンネルを選択した後は、図１０のステップＳＡ２においてリモコン２００からの赤外線の受光を判別する。
【００３７】
図１２および図１３は、図１０におけるステップＳＡ２３のカメラ処理のフローチャートである。図１２において、まず、ＩＤＦが０であるか否かを判別する（ステップＳＢ１）。ＩＤＦが１の場合、すなわち、ＲＡＭ１０に視聴者のＩＤの番号がストアされている場合には、図１０のメインルーチンに戻る。ＩＤＦが０である場合には、ＲＡＭ１０に視聴者のＩＤの番号がストアされていない状態で本体装置１００の電源がオンされた場合である。この場合には、リモコン２００を操作している視聴者の画像を撮像する（ステップＳＢ２）。そして、背景画像との分離処理やその他の画像処理を行う（ステップＳＢ３）。
【００３８】
次に、撮像した視聴者が複数であるか否かを判別し（ステップＳＢ４）、複数の場合にはＲＡＭ１０のＩＤに５（ファミリ）をセットする（ステップＳＢ５）。撮像した視聴者が複数でなく一人である場合には、その視聴者が大人の女性であるか否かを判別し（ステップＳＢ６）、大人の女性である場合にはＩＤに１をセットする（ステップＳＢ７）。大人の女性でない場合には、その視聴者が大人の男性であるか否かを判別し（ステップＳＢ８）、大人の男性である場合にはＩＤに２をセットする（ステップＳＢ９）。大人の男性でない場合には、その視聴者が子供の女性であるか否かを判別し（ステップＳＢ１０）、子供の女性である場合にはＩＤに３をセットする（ステップＳＢ１１）。子供の女性でない場合には、その視聴者が子供の男性であるか否かを判別し（ステップＳＢ１２）、子供の男性である場合にはＩＤに４をセットする（ステップＳＢ１３）。ＩＤにいずれかの値をセットした後は、ＩＤＦを１にセットして（ステップＳＢ１４）、図１０のメインルーチンに戻る。
【００３９】
ステップＳＢ１２において、撮像した視聴者が子供の男性でない場合、すなわち、撮像して画像処理を行っても視聴者を識別できない場合には、図１３のフローチャートにおいて、データベースに保存された過去のＩＤと撮像した視聴者の画像とをリンクしたデータを検索する（ステップＳＢ１５）。データベースの検索によって、ＩＤ番号を特定できるか否かを判別する（ステップＳＢ１６）。ＩＤ番号を特定できる場合には、ＩＤにその番号をセットする（ステップＳＢ１７）。そして、ＩＤＦを１にセットして（ステップＳＢ１８）、図１０のメインルーチンに戻る。
【００４０】
データベースの検索によってＩＤ番号を特定できない場合には、現在選択されているチャンネルのＰＳＩを取得して（ステップＳＢ１９）、ＰＳＩからＶＳＩ（視聴者特定情報）が取得できるか否かを判別する（ステップＳＢ２０）。ＶＳＩが取得できない場合には、ＰＳＩのキーワードを検索する（ステップＳＢ２１）。ＶＳＩを取得できたとき、又は、キーワードを検索したときは、ＩＤ番号を特定する（ステップＳＢ２２）。次に、撮像した画像および特定したＩＤの番号をデータベースに保存する（ステップＳＢ２３）。そして、メインルーチンに戻る。
【００４１】
ＰＳＩにＶＳＩが存在せずキーワードを検索した結果、例えば、キーワードが「料理」、「ダイエット」、「ショッピング」、「化粧品」などの場合には、視聴者を大人の女性と判断して、ＩＤに１をセットし、撮像した画像とともにデータベースに保存する。あるいは、ＰＳＩのキーワードが「探検」、「スポーツカー」、「ゴルフ」、「戦争映画」などの場合には、視聴者を大人の男性と判断して、ＩＤに２をセットし、撮像した画像とともにデータベースに保存する。
【００４２】
以上のように、この実施形態によれば、リモコン２００は、受信する複数のメインチャンネル又はサブチャンネルから１つのメインチャンネル又は１つのサブチャンネルを選択するためのチャンネル選択信号を操作に応じて発生する。本体装置１００のＣＰＵ８は、リモコン２００の操作に応じて現在視聴している視聴者を検出し、リモコン２００によって発生されたチャンネル選択信号によるメインチャンネルが、視聴対象者を特定する視聴者特定情報をそれぞれ含む複数のサブチャンネルに切り替えられた場合には、検出した視聴者に合致する視聴者特定情報を含むサブチャンネルを選択する。
したがって、ハイビジョン放送のメインチャンネルから標準放送の複数のサブチャンネルに切り替わったときには、視聴者を検出して、その視聴者がが希望するサブチャンネルを自動的に選択できる。
【００４３】
本体装置１００のＣＰＵ８は、リモコン２００によって発生された番号に基づいて現在視聴している視聴者を検出する。この場合において、リモコン２００のＣＰＵ２１は、電源パッド２０１に接触された指の指紋の画像および入力された番号を視聴者登録情報としてＩＤメモリ２４にあらかじめ登録し、本体装置１００に対する電源オン操作の際に、電源パッド２０１に接触された指の指紋の画像とＩＤメモリ２４に登録されている画像とを照合して、現在視聴している視聴者の番号を発生する。
したがって、簡単な操作によって視聴者を確実に識別することができる。
なお、指の指紋画像の代わりに指の血管のパターンによって視聴者を識別してもよい。あるいは、本体装置１００のディスプレイに図９のような登録表を表示して、リモコン２００から番号を送信する構成にしてもよい。
また、本体装置１００のＣＰＵ８は、テレビ放送の電源オン操作の際に視聴者の容姿を撮像するカメラ１３によって撮像された画像に基づいて、現在視聴している視聴者を検出する。
【００４４】
上記実施形態においては、本体装置１００およびリモコン２００からなるテレビ受信装置の発明について説明したが、本体装置１００やリモコン２００に制御プログラムをインストールできる不揮発性メモリを用意して、ＣＤ−ＲＯＭ、ＤＶＤ、メモリカードなどの外部記録媒体から読み込んだ制御プログラム、又は、インターネットなどのネットワークからダウンロードした制御プログラムをその不揮発性メモリにインストールすることも可能である。この場合には、プログラムの発明を実現する。
【００４５】
すなわち、本発明によるテレビ受信装置の制御プログラムは、
受信する複数のメインチャンネル又はサブチャンネルから１つのメインチャンネル又は１つのサブチャンネルを選択するためのチャンネル選択信号を操作に応じて発生する第１のステップと、現在視聴している視聴者を検出する第２のステップと、前記第１のステップによって発生されたチャンネル選択信号によるメインチャンネルが視聴対象者を特定する視聴者特定情報をそれぞれ含む複数のサブチャンネルに切り替えられた場合には、前記第２のステップによって検出された視聴者に合致する視聴者特定情報を含むサブチャンネルを選択する第３のステップと、を実行する。
【００４６】
前記第２のステップは、前記第１のステップによって発生された番号に基づいて現在視聴している視聴者を検出する。この場合において、前記第１のステップは、特定の操作子に接触された指の指紋の画像および入力された番号を視聴者登録情報として所定の記憶手段にあらかじめ登録し、テレビ放送の受信開始の操作の際に前記特定の操作子に接触された指の指紋の画像と前記記憶手段に登録されている画像とを照合して現在視聴している視聴者の番号を発生する。
【００４７】
前記第２のステップは、テレビ放送の受信開始の際に視聴者の容姿を撮像する撮像手段によって得られた画像に基づいて現在視聴している視聴者を検出する。
【００４８】
また、本発明によれば、図１に示したテレビ局５００は、新たな放送配信方法として、メインチャンネルによるハイビジョン放送を配信中において、複数のサブチャンネルの標準放送に切り替える場合には、各サブチャンネルの番組特定情報に視聴対象者を特定する視聴者特定情報を付加して配信する。
したがって、限られた放映時間の中で、視聴者の異なる嗜好に合わせて複数種類の番組をサブチャンネルで同時に配信して、多くの視聴者へのサービスを提供するビジネスを展開することができる。
この場合において、複数のサブチャンネルの標準放送を、メインチャンネルによるハイビジョン放送を配信中に随時挿入される広告放送とすることにより、限られた放映時間の中で、より多くの広告放送を配信できるので、広告のスポンサは、実質的に広告料のコストダウンを図ることができる。
【図面の簡単な説明】
【００４９】
【図１】本発明の実施形態のテレビ受信装置を適用したシステムを示す図。
【図２】図１の放送局から配信される地上波ディジタル放送の放送データの一例を示す図。
【図３】図１のテレビ受信装置を構成する本体装置の内部構成を示すブロック図。
【図４】図１のテレビ受信装置を構成するリモコンの構成を示す図。
【図５】リモコン内部の一部の構成を示す図。
【図６】リモコンの内部構成を示すブロック図。
【図７】リモコンのＣＰＵの動作を示すメインルーチンのフローチャート。
【図８】図７における登録処理のフローチャート。
【図９】リモコンのＩＤメモリに登録される視聴者登録情報を示す図。
【図１０】本体装置のＣＰＵの動作を示すメインルーチンのフローチャート。
【図１１】図１０に続くＣＰＵのメインルーチンのフローチャート。
【図１２】図１０におけるカメラ処理のフローチャート。
【図１３】図１２に続くカメラ処理のフローチャート。
【符号の説明】
【００５０】
２  チューナ
３  復調処理部
Ｇ１，Ｇ２  ゲート
３ａ，３ｂ，３ｃ  バンドパスフィルタ
３ｄ，３ｅ  復調部
４  音声・映像分離部
５  音声復号部
６  映像復号部
７  システムバス
８  ＣＰＵ
９  ＲＯＭ
１０  ＲＡＭ
１１  操作部
１２  赤外線インターフェース
１３  カメラ
２１  ＣＰＵ
２２  システムバス
２３  操作部
２４  ＩＤメモリ
１００  本体装置
２００  リモコン
２０１  電源パッド
２０２  ＬＥＤ
２０３  赤外線ＬＥＤ
２０４  ハーフミラー
２０５  スイッチ
２０６  ＣＣＤ
３００  ネットワーク
４００  サーバ
５００  放送局
【図１】
2006186442.tif 000003
【図２】
2006186442.tif 000004
【図３】
2006186442.tif 000005
【図４】
2006186442.tif 000006
【図５】
2006186442.tif 000007
【図６】
2006186442.tif 000008
【図７】
2006186442.tif 000009
【図８】
2006186442.tif 000010
【図９】
2006186442.tif 000011
【図１０】
2006186442.tif 000012
【図１１】
2006186442.tif 000013
【図１２】
2006186442.tif 000014
【図１３】
2006186442.tif 000015